(57)【要約】【課題】  簡易な構成により手袋サイズを容易に識別し得るようにし、手袋の生産性を向上すること。【解決手段】  編糸１１の編成により作られる裾部１０Ａにゴム糸１２を合糸してなる手袋１０において、裾部１０Ａの表面に表われるゴム糸１２の間隔が広い広巾部２１と、該間隙が狭い狭巾部２２とを併せ有し、裾部１０Ａにおける狭巾部２２の相違により手袋サイズを表示するもの。【選択図】  図１
2006009219.tif 000002
【特許請求の範囲】
【請求項１】
編糸の編成により作られる裾部にゴム糸を合糸してなる手袋において、
裾部の表面に表われるゴム糸の間隔が広い広巾部と、該間隙が狭い狭巾部とを併せ有し、
裾部における狭巾部の相違により手袋サイズを表示することを特徴とする手袋。
【請求項２】
前記裾部における狭巾部の位置の相違により手袋サイズを表示する請求項１に記載の手袋。
【請求項３】
前記裾部における狭巾部の個数の相違により手袋サイズを表示する請求項１に記載の手袋。
【請求項４】
前記裾部における狭巾部の巾の大きさの相違により手袋サイズを表示する請求項１に記載の手袋。
【発明の詳細な説明】
【技術分野】
【０００１】
本発明は作業用手袋等の手袋に関する。
【背景技術】
【０００２】
従来、手袋サイズを表示する手袋として、特許文献１に記載の如く、裾部分に他の部分と異なる色のゴム糸を挿入し、かつ裾部分に挿入するゴム糸の色をサイズ毎に異なる色とするものが提案されている。
【特許文献１】特開2003-313712
【発明の開示】
【発明が解決しようとする課題】
【０００３】
特許文献１の手袋では、１つの手袋を編み上げるのに、色の異なる２種類のゴム糸を組み入れる必要がある。しかも、サイズ毎に異なるゴム糸を用意する必要があり、多種類のゴム糸を管理する必要がある。従って、手袋の生産性が悪い。
【０００４】
本発明の課題は、簡易な構成により手袋サイズを容易に識別し得るようにし、手袋の生産性を向上することにある。
【課題を解決するための手段】
【０００５】
請求項１の発明は、編糸の編成により作られる裾部にゴム糸を合糸してなる手袋において、裾部の表面に表われるゴム糸の間隔が広い広巾部と、該間隙が狭い狭巾部とを併せ有し、裾部における狭巾部の相違により手袋サイズを表示するようにしたものである。
【０００６】
請求項２の発明は、請求項１の発明において更に、前記裾部における狭巾部の位置の相違により手袋サイズを表示するようにしたものである。
【０００７】
請求項３の発明は、請求項１の発明において更に、前記裾部における狭巾部の個数の相違により手袋サイズを表示するようにしたものである。
【０００８】
請求項４の発明は、請求項１の発明において更に、前記裾部における狭巾部の巾の大きさの相違により手袋サイズを表示するようにしたものである。
【発明の効果】
【０００９】
手袋の裾部に設ける狭巾部の位置、個数又は巾の大きさ等の相違により手袋サイズを表示するものであるから、１種類のゴム糸を用いるだけの簡易な構成により手袋サイズを容易に識別し得るようにし、手袋の生産性を向上できる。
【発明を実施するための最良の形態】
【００１０】
図１は実施例１の手袋を示す模式図、図２は広巾部を示す模式図、図３は狭巾部を示す模式図、図４は実施例２の手袋を示す模式図、図５は実施例３の手袋を示す模式図である。
【実施例】
【００１１】
（実施例１）（図１〜図３）
作業用手袋１０は、図１〜図３に示す如く、編糸１１の編成（丸編）により作られ、裾部１０Ａでは伸縮性を確保するためのゴム糸１２を合糸している。本実施例では、例えばナイロン糸からなる編糸１１をメリヤス編（編糸１１のループ状の編目の集合により、よく伸縮するように編んだもの）とし、この編糸１１の丸編状の編目にゴム糸１２を連続回転状に挿入して合糸している。
【００１２】
手袋１０は、裾部１０Ａの表面に表われるゴム糸１２の間隔が広い(a)広巾部２１と、該間隔が狭い(b)狭巾部２２を、裾部１０Ａ内に併せ有する。本実施例では、裾部１０Ａで丸編される編糸１１の２回転毎に、ゴム糸１２を１回転させるように挿入して合糸することのくり返しにより広巾部２１を作り（図２）、編糸１１の１回転毎に、ゴム糸１２を１回転させて合糸することのくり返しにより狭巾部２２を作る（図３）。
【００１３】
手袋１０は、裾部１０Ａにおける狭巾部２２の位置の相違により、手袋サイズを表示する。Ｓ（小）サイズでは、図１（Ａ）に示す如く、裾部１０Ａの長手方向の上端部に狭巾部２２を位置づけ、Ｍ（中）サイズでは、図１（Ｂ）に示す如く、裾部１０Ａの長手方向の中間部に狭巾部２２を位置づけ、Ｌ（大）サイズでは、図１（Ｃ）に示す如く、裾部１０Ａの長手方向の下端部に狭巾部２２を位置づける。各サイズで用いるゴム糸１２として、同一種類のゴム糸１２を用いる。
【００１４】
本実施例によれば、手袋１０の裾部１０Ａに設ける狭巾部２２の位置の相違により手袋サイズを表示するものであるから、１種類のゴム糸１２を用いるだけの簡易な構成により手袋サイズを容易に識別し得るようにし、手袋１０の生産性を向上できる。手袋１０の表面の汚れがひどくなったり、洗濯をくり返し行なっても手袋サイズを容易に識別できる。
【００１５】
（実施例２）（図４）
実施例２の手袋１０が実施例１の手袋１０と異なる点は、裾部１０Ａにおける狭巾部２２の個数の相違により、手袋サイズを表示するようにしたことにある。Ｓ（小）サイズでは、図４（Ａ）に示す如く、裾部１０Ａに１個の狭巾部２２を設け、Ｍ（中）サイズでは、図４（Ｂ）に示す如く、裾部１０Ａに２個の狭巾部２２を設け、Ｌ（大）サイズでは、図４（Ｃ）に示す如く、裾部１０Ａに３個の狭巾部２２を設ける。各サイズで用いるゴム糸１２として、同一種類のゴム糸１２を用いる。
【００１６】
本実施例によれば、手袋１０の裾部１０Ａに設ける狭巾部２２の個数の相違により手袋サイズを表示するものであるから、１種類のゴム糸１２を用いるだけの簡易な構成により手袋サイズを容易に識別し得るようにし、手袋１０の生産性を向上できる。
【００１７】
（実施例３）（図５）
実施例３の手袋１０が実施例１の手袋１０と異なる点は、裾部１０Ａにおける狭巾部２２の巾の大きさの相違により、手袋サイズを表示するようにしたことにある。Ｓ（小）サイズでは、図５（Ａ）に示す如く、裾部１０Ａに小巾の狭巾部２２を設け、Ｍ（中）サイズでは、図５（Ｂ）に示す如く、裾部１０Ａに中巾の狭巾部２２を設け、Ｌ（大）サイズでは、図５（Ｃ）に示す如く、裾部１０Ａに大巾の狭巾部２２を設ける。各サイズで用いるゴム糸１２として、同一種類のゴム糸１２を用いる。
【００１８】
本実施例によれば、手袋１０の裾部１０Ａに設ける狭巾部２２の巾の大きさの相違により手袋サイズを表示するものであるから、１種類のゴム糸１２を用いるだけの簡易な構成により手袋サイズを容易に識別し得るようにし、手袋１０の生産性を向上できる。
【００１９】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２０】
【図１】図１は実施例１の手袋を示す模式図である。
【図２】図２は広巾部を示す模式図である。
【図３】図３は狭巾部を示す模式図である。
【図４】図４は実施例２の手袋を示す模式図である。
【図５】図５は実施例３の手袋を示す模式図である。
【符号の説明】
【００２１】
１０  手袋
１０Ａ  裾部
１１  編糸
１２  ゴム糸
２１  広巾部
２２  狭巾部
【図１】
2006009219.tif 000003
【図２】
2006009219.tif 000004
【図３】
2006009219.tif 000005
【図４】
2006009219.tif 000006
【図５】
2006009219.tif 000007